(57)【要約】【課題】同類の複数の共用備品のいずれかの貸出を受ける際に、同類の複数の共用備品の中の任意の共用備品の貸出を可能とする共用備品の管理システムを得る。【解決手段】共用備品の管理システムは、共用備品を予約することが許可された利用者を識別するための利用者情報が記憶された記憶部と、利用者の操作入力により設定された貸出備品名、貸出時刻および返却時刻を含む入力情報に応じて、それぞれの共用備品ごとに利用者と貸出時間帯を特定した予約情報を生成する予約制御部とを有する管理コンピュータを備え、予約制御部は、同類である特定の複数の共用備品をグループ化して管理し、貸出備品名をグループ名として登録可能とし、特定の複数の共用備品の貸出を希望する利用者がグループ名により操作入力を行った場合には、グループ化された複数の共用備品の中のいずれであっても貸出可能と判断する。【選択図】図２
2020201798.tif 000002
【特許請求の範囲】
【請求項１】
共用備品を予約することが許可された利用者を識別するための利用者情報が記憶された記憶部と、
利用者の操作入力により設定された貸出備品名、貸出時刻および返却時刻を含む入力情報に応じて、それぞれの共用備品ごとに利用者と貸出時間帯を特定した予約情報を生成する予約制御部と
を有する管理コンピュータを備えた共用備品の管理システムであって、
前記予約制御部は、
同類である特定の複数の共用備品をグループ化して管理し、前記貸出備品名をグループ名として登録可能とし、
前記特定の複数の共用備品の貸出を希望する利用者が前記グループ名により前記操作入力を行った場合には、前記グループ化された前記複数の共用備品の中のいずれであっても貸出可能と判断する
共用備品の管理システム。
【請求項２】
前記入力情報には、前記特定の複数の共用備品に関する貸出数が含まれており、
前記予約制御部は、
前記入力情報として、前記グループ名および前記貸出数が設定された場合には、前記グループ化された前記複数の共用備品の中から、前記貸出数に相当する台数を貸出可能と判断する
請求項１に記載の共用備品の管理システム。
【請求項３】
前記入力情報には、前記特定の複数の共用備品を実際に利用する複数の利用者を設定するための利用者設定項目が含まれており、
前記予約制御部は、前記利用者設定項目に設定された利用者が、前記特定の複数の共用備品の貸出および返却を実際に行う人物であると判断する
請求項１または２に記載の共用備品の管理システム。
【請求項４】
電気錠により施解錠される開閉扉を有し、前記貸出備品名に対応する共用備品が内部に収納される管理ボックスと、
前記管理ボックス内に設置され、前記共用備品が前記管理ボックス内に収納された状態で、前記共用備品に貼り付けられたタグ情報を読み取るアンテナと、
前記管理ボックスの利用者が所持する識別情報を読み取る識別情報取得器と、
前記アンテナから送信された前記タグ情報に基づいてそれぞれの共用備品が前記管理ボックス内に収納されているか否かを示す貸出情報を生成するとともに、前記予約制御部で生成された前記予約情報と、前記識別情報取得器によって読み取られた前記識別情報との比較結果から前記電気錠の施解錠を行うコントローラと、
をさらに備え、
前記グループ化された前記複数の共用備品に対するタグ情報には、共通のグループであることを識別するためのグループタグ情報が含まれており、
前記コントローラは、
利用者が、事前に予約した共用備品を、前記管理ボックスから取り出す際に、利用者により取り出されたことで、前記アンテナによって読み取ることができなくなったタグ情報に対応する共用備品が、前記予約情報により前記利用者に対して事前に予約されている共用備品と異なる場合には、警報を出力し、
前記グループ化された前記複数の共用備品が前記事前に予約した共用備品として取り出される際には、前記アンテナによって読み取ることができなくなったタグ情報に含まれているグループタグ情報に対応する共用備品が、前記予約情報により前記利用者に対して事前に予約されている共用備品と異なる場合には、警報を出力する
請求項１から３のいずれか１項に記載の共用備品の管理システム。
【請求項５】
前記共用備品が記憶装置の場合には、前記記憶装置が収納されることにより前記記憶装置の記憶情報を消去する記憶情報消去装置が前記管理ボックス内に設置されている
請求項４に記載の共用備品の管理システム。
【請求項６】
前記共用備品がノートパソコンの場合には、前記ノートパソコンは、前記管理コンピュータが有する前記予約制御部を起動することができる機能を有している
請求項１から５のいずれか１項に記載の共用備品の管理システム。
【請求項７】
前記管理コンピュータは、前記共用備品がノートパソコンの場合には、前記ノートパソコンのプログラム更新情報を前記ノートパソコンに送信する機能を有する
請求項１から６のいずれか１項に記載の共用備品の管理システム。
【発明の詳細な説明】
【技術分野】
【０００１】
本発明は、利用者の予約により、共用備品の貸出／返却の管理を行う共用備品の管理システムに関するものである。
【背景技術】
【０００２】
利用者の予約により、共用備品の貸出／返却の管理を行う共用備品の管理システムに関して、例えば、次のような従来技術がある（例えば、特許文献１参照）。この特許文献１においては、予約を行った利用者のみに、施錠された管理ボックスから共用備品の貸出／返却を行うことを可能としている。さらに、特許文献１は、貸出／返却状況を外部から見えるようにして、共用備品の管理を強化している。
【先行技術文献】
【特許文献】
【０００３】
【特許文献１】特開２００６−１８２５４０号公報
【発明の概要】
【発明が解決しようとする課題】
【０００４】
しかしながら、従来技術には、以下のような課題がある。
従来の管理システムにおいて、管理ボックス内に管理される共用備品は、個々に識別番号が登録されており、利用者は、その識別番号を基準として貸出の予約を行う。ここで、貸出を受ける際、共用備品として同類のものが複数ある場合には、予約を行った識別番号の共用備品を複数の中から探すのに手間がかかる。さらに、予約を行った識別番号とは異なる識別番号の共用備品を誤って取り出した場合には、警報が鳴るといった不都合がある。
【０００５】
本発明は、上記のような課題を解決するためになされたものであり、同類の複数の共用備品のいずれかの貸出を受ける際に、同類の複数の共用備品の中の任意の共用備品の貸出を可能とする共用備品の管理システムを得ることを目的とする。
【課題を解決するための手段】
【０００６】
本発明の共用備品の管理システムは、共用備品を予約することが許可された利用者を識別するための利用者情報が記憶された記憶部と、利用者の操作入力により設定された貸出備品名、貸出時刻および返却時刻を含む入力情報に応じて、それぞれの共用備品ごとに利用者と貸出時間帯を特定した予約情報を生成する予約制御部とを有する管理コンピュータを備えた共用備品の管理システムであって、予約制御部は、同類である特定の複数の共用備品をグループ化して管理し、貸出備品名をグループ名として登録可能とし、特定の複数の共用備品の貸出を希望する利用者がグループ名により操作入力を行った場合には、グループ化された複数の共用備品の中のいずれであっても貸出可能と判断するものである。
【発明の効果】
【０００７】
本発明に係る共用備品の管理システムは、上記のような構成を備えることで、同類の複数の共用備品のいずれかの貸出を受ける際に、同類の複数の共用備品の中の任意の共用備品の貸出を可能とするシステムを実現できる。
【図面の簡単な説明】
【０００８】
【図１】本発明の実施の形態１における共用備品の管理システムの外形図である。
【図２】本発明の実施の形態１における共用備品の管理システムのシステム構成図である。
【図３】本発明の実施の形態１における管理ボックスの内部状態を示した正面図である。
【図４】本発明の実施の形態１において、管理コンピュータで管理される予約システムを起動した時の予約状況確認画面を示した図である。
【図５】本発明の実施の形態１において、予約システムを利用して、新規に共用備品の予約を行う場合の入力画面の一例を示した図である。
【発明を実施するための形態】
【０００９】
以下、図面に基づいて、本発明の実施の形態について詳細に説明する。
【００１０】
実施の形態１．
図１は、本発明の実施の形態１における共用備品の管理システムの外形図である。図２は、本発明の実施の形態１における共用備品の管理システムのシステム構成図である。管理ボックス１は、内部に共用備品が保管されるボックスである。管理ボックス１の前面に設けられた開閉扉１ａは、内部に設けられた電気錠１ｂにより、共用備品の貸出／返却時以外は、施錠されている。すなわち、管理ボックス１は、電気錠１ｂが制御されることで、開閉扉１ａの施解錠が可能な構成となっている。
【００１１】
また、一例として、管理ボックス１の上側には、共用備品を予約することが許可された利用者が所持するＩＤカード２から利用者属性を読み取るためのカードリーダー３と、管理ボックス１の利用状態を表示するための表示灯４とが設けられている。
【００１２】
管理コンピュータ２０は、管理ボックス１に保管される共用備品情報、利用者情報等の管理を行う。さらに、管理コンピュータ２０は、予約システム２０ａを利用して、利用者の入力操作により設定された共用備品に関する予約情報の管理を制御部２０ｂにより行い、通信部２０ｃを介して、管理ボックス１内に備えられたコントローラ５に、予約情報を送信する。
【００１３】
制御部２０ｂは、管理に必要な情報を、管理処理に伴って更新し、記憶部２０ｄに記憶させる。なお、コントローラ５の詳細については、後述する。また、予約システム２０ａおよび制御部２０ｂを合わせた構成が、予約制御部に相当する。
【００１４】
図３は、本発明の実施の形態１における管理ボックス１の内部状態を示した正面図である。なお、図３においては、開閉扉１ａの図示を省略している。管理ボックス１内には、共用備品としてのノートパソコン１０ａ、１０ｂ、携帯端末１１ａ、１１ｂが棚１ｃの上に格納されている。
【００１５】
さらに、管理ボックス１内には、別の共用備品として、記憶装置であるＵＳＢメモリ１２ａ、１２ｂ、１２ｃが格納されている。これらの共用備品には、それぞれ、固有のＲＦＩＤタグ６が貼り付けられている。ＲＦＩＤタグ６に格納されたタグ情報を読み取るために、アンテナ７が、管理ボックス１内の各段の上部にそれぞれ設けられている。
【００１６】
また、管理ボックス１の中には、外部の管理コンピュータ２０から予約情報を受信するコントローラ５が備えられている。コントローラ５は、カードリーダー３から入力された利用者属性が、受信済みの予約情報と合致した場合には、電気錠１ｂに対して解錠指令を出す。
【００１７】
ここで、コントローラ５は、図２に示されたように、制御部５ｂ、通信部５ｃ、および記憶部５ｄを有しているが、以下では、単にコントローラ５として説明する。
【００１８】
以上のように構成された、本実施の形態１における共用備品の管理システムの動作について、図４および図５を参照して詳細に説明する。図４は、本発明の実施の形態１において、管理コンピュータ２０で管理される予約システム２０ａを起動した時の予約状況確認画面を示した図である。
【００１９】
この予約システム２０ａは、管理コンピュータ２０から起動することができる。また、予約システム２０ａは、図２に示したように、管理コンピュータ２０にＬＡＮ接続され、利用者情報が登録された利用者パソコン３０から起動することもできる。
【００２０】
ここで、利用者パソコン３０は、図２に示されたように、制御部３０ｂおよび通信部３０ｃを有しているが、以下では、単に利用者パソコン３０として説明する。
【００２１】
さらに、共用備品であるノートパソコン１０（１０ａ、１０ｂ）に、利用者パソコン３０と同様の機能を持たせることで、予約システム２０ａは、ノートパソコン１０から起動することもできる。すなわち、共用備品としてのノートパソコン１０が貸出中である場合には、このノートパソコン１０の利用者が、予約システム２０ａを起動することで、貸出中のノートパソコン１０を用いて、例えば、返却時刻を変更することも可能である。
【００２２】
図４に示した予約状況確認画面は、特定の管理ボックス１における特定の日の状況を例示している。この画面は、事前に設定登録された２個の携帯端末１１ａ、１１ｂをグループ化して携帯端末１１とし、３個のＵＳＢメモリ１２ａ、１２ｂ、１２ｃをグループ化してＵＳＢメモリ１２としたものである。
【００２３】
換言すると、本実施の形態１に係る共用備品の管理システムは、同類である特定の複数の共用備品をグループ化して管理し、貸出備品名をグループ名として登録可能としている。さらに、本実施の形態１に係る共用備品の管理システムは、特定の複数の共用備品の貸出を希望する利用者がグループ名により操作入力を行った場合には、グループ化された複数の共用備品の中のいずれであっても貸出可能と判断する。
【００２４】
従って、利用者は、例えば、同類である特定の複数の共用備品に相当する３個のＵＳＢメモリ１２ａ、１２ｂ、１２ｃのいずれか１つを借りたい場合には、グループ名に相当する「ＵＳＢメモリ」を貸出備品名として設定すればよい。そして、このような設定を行っておくことで、利用者は、３個のＵＳＢメモリ１２ａ、１２ｂ、１２ｃの中の任意のＵＳＢメモリの貸出を受けることが可能となる。
【００２５】
図４においては、共用備品のノートパソコン１０ａが、１２時から１４時まで、利用者Ａにより予約済であり、グループ化された共用備品のＵＳＢメモリ１２の内の２個が、１０時から１５時まで、利用者Ｂにより予約済である状態を示している。この例では、ノートパソコン１０ａとノートパソコン１０ｂを個別管理しているが、携帯端末１１およびＵＳＢメモリ１２と同様に、同類である特定の複数の共用備品としてグループ化することもできる。
【００２６】
図５は、本発明の実施の形態１において、予約システム２０ａを利用して、新規に共用備品の予約を行う場合の入力画面の一例を示した図である。この図５に示した予約画面は、図４の予約状況確認画面において、未予約の部分をクリックするか、あるいは図４の右下に図示された予約のボタンを押すことにより、表示される。
【００２７】
共用備品の予約を行う利用者は、図５に示した入力画面に対して、貸出を希望する貸出備品名、貸出数、貸出時刻、返却時刻、および利用者情報を入力情報として入力して、予約登録のボタンを押す。ここで、入力情報に含まれる利用者情報は、利用者設定項目に相当し、共用備品を実際に借用する利用者を複数記入できるようになっている。この理由は、予約を登録した人と、実際に共用備品の貸出／返却を行う人が異なる場合があるためであり、同類の複数の共用備品にかかわる人物を、複数の利用者情報としてあらかじめ登録しておくためである。
【００２８】
ここで、図４の予約状況で、新たに利用者ＸがＵＳＢメモリの終日予約の無い最下段の欄をクリックして、図５の入力画面で予約する場合について説明する。貸出数として設定された台数が１個であり、貸出時刻から返却時刻までの時間帯である貸出時間帯が、既に予約済みの１０時から１５時と重なる場合には、最下段に予約が登録される。
【００２９】
一方、貸出時間帯が、既に予約済みの１０時から１５時と重ならない、例えば貸出時刻１６：００、返却時刻１８：００のような場合には、最上段に予約が登録される。このような予約割り付けを行うことにより、新たにＵＳＢメモリを終日予約したい利用者がいた場合にも、予約することが可能となり、共用備品の利用効率を上げることができる。
【００３０】
次に、管理ボックス１側の動作について説明する。管理ボックス１に設置されたコントローラ５は、管理コンピュータ２０から、管理された利用者情報および予約情報を受信し、内部の記憶部５ｄに格納する。
【００３１】
カードリーダー３は、予約を行った利用者、または予約時に利用者設定項目の欄で登録された利用者が、貸出を受けるために、所持しているＩＤカード２をカードリーダー３にかざすことで、利用者属性を読み取る。カードリーダー３によって読み取られた利用者属性に相当する識別情報は、コントローラ５に送信される。
【００３２】
コントローラ５は、カードリーダー３から受信した利用者属性と、記憶部５ｄに記憶されている予約情報の中の利用者属性とを比較する。さらに、コントローラ５は、現在時刻と、予約情報の中の予約時間帯（貸出時刻から返却時刻までの間）とを比較し、利用者属性が一致し、かつ、現在時刻が予約時間帯に含まれる場合には、電気錠１ｂに対して解錠指令を出力する。これにより、利用者は、開閉扉１ａを開くことが可能となる。
【００３３】
コントローラ５は、所定の時間間隔で、アンテナ７を介してＲＦＩＤタグ６の情報を読み取る。そして、コントローラ５は、予約情報の中の貸出共用備品に貼り付けられたＲＦＩＤタグ６の情報が読み取れなくなったことで、利用者により共用備品が取り出されたことを判断できる。コントローラ５は、共用備品が取り出されたことを判断した後、開閉扉１ａの閉状態を検知する検知スイッチがオンしたことを確認後、電気錠１ｂに対して施錠指令を出力する。
【００３４】
次に、コントローラ５は、管理コンピュータ２０に対して、アンテナ７から読みとった管理ボックス１内の全てのＲＦＩＤタグ６の情報を送信する。これにより、管理コンピュータ２０は、ＲＦＩＤタグ６の情報に基づいて、それぞれの共用備品が管理ボックス内に収納されているか否かを示す貸出情報を生成することができ、管理ボックス１内の共用備品の現在の貸出状況を管理することができる。
【００３５】
なお、グループ化された複数の共用備品に対するタグ情報には、共通のグループであることを識別するためのグループタグ情報が含まれている。例えば、３個のＵＳＢメモリ１２ａ、１２ｂ、１２ｃのそれぞれのタグ情報には、共通のグループとしてのＵＳＢメモリであることを識別するためのグループタグ情報が含まれている。従って、コントローラ５および管理コンピュータ２０は、同類である特定の複数の共用備品に関しては、グループタグ情報に基づいて生成した貸出情報に基づいて、貸出状況を管理することができる。
【００３６】
予約を行った利用者または予約時に利用者設定項目の欄で登録された利用者が、返却を行う時の動作も、上述した貸し出し時の動作と同様である。なお、返却時において、コントローラ５は、ＲＦＩＤタグ６の情報が読み取れない状態から読み取れる状態になったことを確認することで、共用備品が返却されたことを判断できる。
【００３７】
ここで、コントローラ５は、予約情報と、実際に貸出／返却された共用備品に貼り付けられたＲＦＩＤタグ６の情報との比較結果が一致しない場合には、表示灯４を点灯または点滅させる。これにより、利用者は、その場で、予約とは異なった共用備品を貸出／返却しようとしていることを確認することができる。
【００３８】
なお、コントローラ５は、グループ化された複数の共用備品に対して比較結果が一致しているか否かの判断を行う際には、共通のグループであることを識別するためのグループタグ情報を用いる。
【００３９】
次に、貸出を行った共用備品が返却時刻になっても返却されない場合の処理について、詳細に説明する。返却時刻を所定時間経過した場合には、管理コンピュータ２０は、予約した利用者に対応する利用者パソコン３０に対して、メール等により、返却時刻が過ぎたことを知らせる通知を行う。これにより、利用者がうっかり返却を忘れたといったような場合に、注意を喚起することができる。
【００４０】
さらに、管理コンピュータ２０は、コントローラ５に対して、表示灯４を点灯または点滅させる指令を送信する。これにより、管理ボックス１の管理者は、目視により、共用備品の返却遅れを知ることができる。
【００４１】
次に、管理ボックス１に保管される共用備品毎に特有の構成について、詳細に説明する。管理ボックス１内には、先の図３に示したように、電源コンセント９、およびＬＡＮ接続用のＬＡＮケーブル１４が備えられている。共用備品がノートパソコン１０の場合、返却時に、ノートパソコン１０の電源プラグが電源コンセント９に挿入されることで、内蔵バッテリの充電を行うことができる。
【００４２】
さらに、ノートパソコン１０は、返却時に、ＬＡＮケーブル１４が接続されることで、ＬＡＮケーブル１４経由でリモートの起動が可能となる。ここで、管理コンピュータ２０は、ノートパソコン１０の内蔵プログラムに関するプログラム更新情報を入手した場合には、ＬＡＮケーブル１４を経由してノートパソコン１０を起動して、この内蔵プログラムの更新を行うようにしてもよい。このような構成にすることで、共用備品としてのノートパソコン１０のプログラムを最新状態に保つことができる。
【００４３】
また、ＵＳＢメモリ１２、図示しないＳＤカード等の記憶装置が返却されたときに、記憶情報を消去するために、記憶情報消去装置８を管理ボックス１内に備えてもよい。
【００４４】
返却時に、記憶情報消去装置８内にＵＳＢメモリ１２、ＳＤカード等が収納されることにより、内部に記憶された情報を消去することができる。この結果、共用で使用する記憶装置の返却時に、記憶情報を消去し忘れた場合でも、自動で消去され、情報が他人に漏れることを防止することができる。
【００４５】
なお、以上の説明では、管理ボックス１が１台の例について示したが、管理ボックス１は、１台に限定されることなく、複数台の適用も可能である。管理コンピュータ２０は、管理ボックス１毎に異なる番号で管理することにより、容易に複数台の管理ボックス１を管理可能である。
【００４６】
また、カードリーダー３は、利用者を特定するための識別情報を読み取る識別情報取得器の一例であり、識別情報を読み取ることができれば、カードリーダー３に限定されることはない。
【００４７】
また、表示灯４は、管理ボックス１の利用状態の表示、あるいは警報アナウンスが行えればよく、ディスプレイによるアナウンス、音声によるアナウンスなどを表示灯４によるアナウンスの代わりに使用することも可能である。
【００４８】
以上のように、実施の形態１に係る共用備品の管理システムによれば、以下の効果を得ることができる。
・予約制御部は、同類である特定の複数の共用備品をグループ化して管理し、貸出備品名をグループ名として登録可能としている。この結果、特定の複数の共用備品の貸出を希望する利用者がグループ名により操作入力を行った場合には、グループ化された複数の共用備品の中のいずれであっても貸出可能と判断することができる。
【００４９】
・入力情報として、特定の複数の共用備品に関する貸出数を設定できる構成を備えている。この結果、予約制御部は、入力情報として、グループ名および貸出数が設定された場合には、グループ化された複数の共用備品の中から、貸出数に相当する台数を貸出可能と判断することができる。
【００５０】
・入力情報として、特定の複数の共用備品を実際に利用する複数の利用者を設定できる構成を備えている。この結果、予約制御部は、設定された利用者が、特定の複数の共用備品の貸出および返却を実際に行う人物であると判断することができる。
【符号の説明】
【００５１】
１  管理ボックス、１ａ  開閉扉、１ｂ  電気錠、２  ＩＤカード、３  カードリーダー、４  表示灯、５  コントローラ、６  ＲＦＩＤタグ、７  アンテナ、８  記憶情報消去装置、９  電源コンセント、１０、１０ａ、１０ｂ  ノートパソコン、１１、１１ａ、１１ｂ  携帯端末、１２、１２ａ、１２ｂ、１２ｃ  ＵＳＢメモリ、１４  ＬＡＮケーブル、２０  管理コンピュータ、２０ａ  予約システム。
【図１】
2020201798.tif 000003
【図２】
2020201798.tif 000004
【図３】
2020201798.tif 000005
【図４】
2020201798.tif 000006
【図５】
2020201798.tif 000007